(57)【特許請求の範囲】
【請求項１】
太陽電池モジュールの枠部に設けられている係止片が差し込まれる係止片挟持部と、上記の係止片挟持部を屋根に設置固定する設置固定部と、を有して成り、上記の係止片挟持部には、上記係止片の下面を受け止める第１荷重受け部と、上記係止片の上面を受け止める第２荷重受け部と、が形成されていることを特徴とする太陽電池モジュール固定具。
【請求項２】
請求項１に記載の太陽電池モジュール固定具において、上記第１荷重受け部と上記第２荷重受け部とが交互配置されていることを特徴とする太陽電池モジュール固定具。
【請求項３】
請求項２に記載の太陽電池モジュール固定具において、上記の交互配置される第１荷重受け部と上記第２荷重受け部との境界線上に補強リブが形成されていることを特徴とする太陽電池モジュール固定具。
【請求項４】
請求項１に記載の太陽電池モジュール固定具において、上記第１荷重受け部と上記第２荷重受け部とが対面配置されていることを特徴とする太陽電池モジュール固定具。
【請求項５】
請求項１〜請求項４のいずれか１項に記載の太陽電池モジュール固定具において、上記の設置固定部は屋根面上に位置する第１部位と上記屋根面上に位置する横桟を跨ぐ第２部位とを有し、上記第１部位の裏面には当該裏面と屋根面との間に隙間を形成する凸部が形成されていることを特徴とする太陽電池モジュール固定具。
【請求項６】
請求項５に記載の太陽電池モジュール固定具において、上記の横桟は上記第２部位に固着されていることを特徴とする太陽電池モジュール固定具。
【請求項７】
請求項１〜請求項４のいずれか１項に記載の太陽電池モジュール固定具において、上記の設置固定部には、屋根面に配置された横桟に接して当該太陽電池モジュール固定具の位置決めを行う位置決め部位が設けられていることを特徴とする太陽電池モジュール固定具。
【請求項８】
請求項１〜請求項７のいずれか１項に記載の太陽電池モジュール固定具を屋根に固定し、枠部に係止片を有する太陽電池モジュールを上記太陽電池モジュール固定具にて固定する屋根構造であって、上記太陽電池モジュールを軒先の第１段目に配置し、この太陽電池モジュールにおける上記係止片を上記太陽電池モジュール固定具における係止片挟持部に差し込んで成ることを特徴とする屋根構造。
【発明の詳細な説明】
【技術分野】
【０００１】
この発明は、太陽電池モジュールを屋根上に固定する太陽電池モジュール固定具及びこの固定具を用いた屋根構造に関する。
【背景技術】
【０００２】
太陽電池モジュールを設置することに要したコストを早期に回収するには、屋根面になるべく多くの太陽電池モジュールを設置し、太陽光発電により得られる電力量を増やすことが求められる。このように多くの太陽電池モジュールを屋根上に設置するためには、軒先の第１段目から太陽電池モジュールを配置していけばよいが、このように軒先の第１段目から太陽電池モジュールを配置する場合、軒先に吹く風が上記第１段目の太陽電池モジュールを吹き上げてしまうのをしっかりと防止するようにしなければならない。
【０００３】
下記特許文献１に開示された屋根構造においては、軒先に配置される太陽電池モジュールの軒側端部（フロントカバーの係止片）を軒先吹上防止具によって係止することにより、太陽電池モジュールに作用する風荷重に抗するようにしている。すなわち、軒先に吹く風で風荷重が生じると上記フロントカバーの係止片を軒先吹上防止具が受け止めるため、風荷重は太陽電池パネル本体ではなく上記フロントカバーに加わることになる。一方、この特許文献１に記載された屋根構造で用いられる太陽電池モジュールは、太陽電池パネルの裏面側に発泡樹脂から成る補強部材を設けている。そして、この補強部材の桁方向補強部は肉厚に形成されており、屋根面に接するように設けられる。このため、太陽電池モジュール上に雪が積もった場合でも、この積雪荷重を上記の桁方向補強部が受け止めることになり、積雪荷重が太陽電池パネル本体に直接的に作用することは回避されるものと考えられる。
【先行技術文献】
【特許文献】
【０００４】
【特許文献１】特開２００９−２９９４５０号公報
【発明の開示】
【発明が解決しようとする課題】
【０００５】
しかしながら、上記のような桁方向補強部を備えない太陽電池モジュールを採用した場合、上記の積雪荷重によって太陽電池モジュールは下方へと押されて、この太陽電池モジュールのフロントカバーの係止片は軒先吹上防止具の先端の下方位置において当初位置よりも更に下方へと離れていこうとする。その結果、軒先吹上防止具が太陽電池モジュールにおける上記係止片以外の箇所である例えば太陽電池パネル本体に当たる可能性が生じる。すなわち、上記のような桁方向補強部を備えない太陽電池モジュールを採用した場合、積雪荷重が上記軒先吹上防止具のために太陽電池パネル本体に加わるおそれがある。
【０００６】
この発明は、太陽電池モジュールを屋根に設置するときの風荷重及び積雪荷重の両方を太陽電池モジュールの枠部に伝えることができる太陽電池モジュール固定具及び屋根構造を提供することを課題とする。
【課題を解決するための手段】
【０００７】
この発明の太陽電池モジュール固定具は、上記の課題を解決するために、太陽電池モジュールの枠部に設けられている係止片が差し込まれる係止片挟持部と、上記の係止片挟持部を屋根に設置固定する設置固定部と、を有して成り、上記の係止片挟持部には、上記係止片の下面を受け止める第１荷重受け部と、上記係止片の上面を受け止める第２荷重受け部と、が形成されていることを特徴とする。
【０００８】
上記構成であれば、太陽電池モジュール上に雪が積もったときの積雪荷重は太陽電池モジュールを下方へと押さえる力となるが、この太陽電池モジュールの枠部における係止片の下面を第１荷重受け部が受け止めてくれるので、積雪荷重は太陽電池モジュールの係止片から枠部へ伝達されることになる。また、軒先に風が吹いたときの風荷重は太陽電池モジュールを上方へと持ち上げる力となるが、上記係止片の上面を第２荷重受け部が受け止めてくれるので、風荷重は太陽電池モジュールの係止片から上記枠部へ伝達されることになる。このように、本太陽電池モジュール固定具は、第１荷重受け部及び第２荷重受け部を有したことにより、積雪荷重及び風荷重の両方を太陽電池モジュールの係止片から枠部へ伝達できることになり、太陽電池パネル本体に過度な力が加わるのを防止することができる。
【０００９】
上記の太陽電池モジュール固定具において、上記第１荷重受け部と上記第２荷重受け部とが交互配置されていてもよい。このような交互配置の構造は、例えば一枚の平板部位に対して剪断・プレス加工を行うことで得ることができる。すなわち、押出成形によらずに上記の第１荷重受け部と第２荷重受け部を得ることができる。そして、このような構成の太陽電池モジュール固定具については、上記の交互配置される第１荷重受け部と上記第２荷重受け部との境界線上に応力が集中しやすくなるため、この境界線上に補強リブを形成しておくのがよい。
【００１０】
一方、上記のような交互配置ではなく、上記第１荷重受け部と上記第２荷重受け部とが対面配置されていてもよい。このような対面配置の構造は例えば押出成形によって形成できる。
【００１１】
これらの太陽電池モジュール固定具において、上記の設置固定部は屋根面上に位置する第１部位と上記屋根面上に位置する横桟を跨ぐ第２部位とを有し、上記第１部位の裏面には当該裏面と屋根面との間に隙間を形成する凸部が形成されていてもよい。このような構成であれば、屋根面上を伝う雨滴は上記の太陽電池モジュール固定具に遮られることなく、上記第１部位の下を通って軒先へと伝っていくことができる。また、このような太陽電池モジュール固定具において、上記の横桟は上記第２部位に固着されていてもよい。
【００１２】
また、これらの太陽電池モジュール固定具において、上記の設置固定部には、屋根面に配置された横桟に接して当該太陽電池モジュール固定具の位置決めを行う位置決め部位が設けられていてもよい。これによれば、上記横桟を基準にして太陽電池モジュール固定具を手際よく正しい位置に配置していくことができる。
【００１３】
また、この発明の屋根構造は、上述した太陽電池モジュール固定具を屋根に固定し、枠部に係止片を有する太陽電池モジュールを上記太陽電池モジュール固定具にて固定する屋根構造であって、上記太陽電池モジュールを軒先の第１段目に配置し、この太陽電池モジュールにおける上記係止片を上記太陽電池モジュール固定具における係止片挟持部に差し込んで成ることを特徴とする。
【００１４】
上記の構成であれば、太陽電池モジュールを軒先の第１段目に配置しても、軒先に吹く風による風荷重は太陽電池モジュール固定具の第２荷重受け部によって太陽電池モジュールの係止片から枠部に伝達され、積雪荷重は第１荷重受け部によって太陽電池モジュールの係止片から枠部に伝達されるので、太陽電池パネル本体に局所的に過度な力が加わるのが防止されることになる。
【発明の効果】
【００１５】
本発明であれば、太陽電池モジュールを屋根の軒先側に設置したときに当該太陽電池モジュールが受ける風荷重を本太陽電池モジュール固定具によって太陽電池モジュールの係止片から枠部に伝達できるとともに、積雪荷重についても、本太陽電池モジュール固定具によって太陽電池モジュールの係止片から枠部に伝達できるので、上記の風荷重や積雪荷重によって太陽電池パネル本体に局所的に過度な力が加わるのを防止できるという効果を奏する。
【図面の簡単な説明】
【００１６】
【図１】本発明の太陽電池モジュール固定具により固定される太陽電池モジュールの一例を示した斜視断面図である。
【図２】本発明の一実施形態に係る太陽電池モジュール固定具を示した図であって、同図の（Ａ）は太陽電池モジュール固定具の側面図であって、同図の（Ｂ）は同斜視図である。
【図３】図２に示した太陽電池モジュール固定具を用いた屋根構造を示した構成図である。
【図４】他の実施形態の太陽電池モジュール固定具を用いた屋根構造を示した構成図である。
【図５】他の実施形態の太陽電池モジュール固定具を用いた屋根構造を示した構成図である。
【図６】他の実施形態の太陽電池モジュール固定具を用いた屋根構造を示した構成図である。
【発明を実施するための最良の形態】
【００１７】
次に、この発明の実施形態に係る太陽電池モジュール固定具及び屋根構造を添付図面に基づいて具体的に説明する。なお、本発明に係る太陽電池モジュール固定具及び屋根構造は、下記の実施形態に示したものに限定されず、その要旨を変更しない範囲において適宜変更して実施できるものである。
【００１８】
図１に示すように、瓦型太陽電池モジュール（以下、単に太陽電池モジュールという）１は、太陽電池パネル部１４の周囲縁を枠１１によって囲った構造を有している。上記太陽電池パネル部１４は光起電力層を挟み込んだガラス板部、これらガラス板部を補強する補強部、上記光起電力層にて生成された電力を取り出す配線部などを有して構成されている。上記補強部は従来項で述べたような屋根面に接する桁方向補強部は備えていない。上記枠１１は、上記太陽電池パネル部１４を表裏から挟み込む対向部位と上記太陽電池パネル部１４の端面に面して位置する側板部位とを有する。上記枠１１における水下側部分の上記側板部位には側板部位延長部１１ａが形成されている。この側板部位延長部１１ａには、係止片１２がビス１３によって固定されている。この係止片１２は、上記側板部位延長部１１ａに接する接合部分およびこの接合部分から上記太陽電池パネル部１４の下方側へと折れて入り込む係止部分を有した略Ｌ字形状を有している。上記係止片１２に荷重が加わるとき、この荷重は、上記側板部位延長部１１ａを介して、上記側板部位にその面と平行な方向に加わることになる。なお、上記係止片１２は、ビス１３に限らず例えばリベットによって側板部位延長部１１ａに固定されていてもよいし、また、上記枠１１に一体的に形成されたものでもよい。
【００１９】
上記の枠１１における上記側板部位延長部１１ａよりも上側の位置には、係止突起１５・１５が設けられており、この係止突起１５・１５に前カバー１６が係止されている。
【００２０】
上記の枠１１については、図１で示されるような断面コ字形状のものに限るものではないし、上記枠１１の上記対向部位と太陽電池パネル部１４の表面に段差ができるものに限るものでもない。また、上記の太陽電池モジュール１における水上側の部分については、図示していないが、既存のモジュール係止構造を備えていればよい。この既存のモジュール係止構造は、例えば、屋根上に配置した瓦桟に係止される裏面凹部、上記瓦桟に螺子などによって係止固定される裏面側固定部、上段側の太陽電池モジュールの枠部に設けられている係止片を係止する表面側係止金具などを備えて成る。そして、上記太陽電池モジュール１は軒先の第１段目に配置されるものであり、軒先の第２段目以降に配置される太陽電池モジュールについては、上記太陽電池モジュール１と全く同じように上記側板部位延長部１１ａや係止片１２を備えていなくてもよい。
【００２１】
図２（Ａ）（Ｂ）及び図３に示すように、この実施形態の太陽電池モジュール固定具２は、上記太陽電池モジュール１の枠１１に設けられている係止片１２が差し込まれる係止片挟持部２１と、この係止片挟持部２１を屋根１０１に固定する設置固定部２２と、を有する。そして、上記の係止片挟持部２１は、上記係止片１２の下面を受け止める第１荷重受け部２１Ａと、上記係止片１２の上面を受け止める第２荷重受け部２１Ｂと、を有する。
【００２２】
上記の太陽電池モジュール固定具２においては上記第１荷重受け部２１Ａと上記第２荷重受け部２１Ｂとが交互配置されている。このような交互配置の構造は、例えば、係止片挟持部２１を得る前段階の平板部分に対して剪断・プレス加工を行うことで得ることができる。
【００２３】
このように交互配置される第１荷重受け部２１Ａと第２荷重受け部２１Ｂとの境界線上には応力が集中しやすいので、この実施形態においては、上記第１荷重受け部２１Ａと上記第２荷重受け部２１Ｂとの境界線上を横切る一本の断面円弧形状の補強リブ２３を形成している。この補強リブ２３は上記プレス加工で形成することができる。なお、このような一本の補強リブ２３ではなく、各々の境界線上の位置に個別に補強リブを設けてもよいものである。
【００２４】
上記第２荷重受け部２１Ｂの先端側には上記第１荷重受け部２１Ａの先端よりも少し手前側で立ち上げられ水上側へ傾斜させられた立上傾斜部２１Ｃが形成されている。太陽電池モジュール１を太陽電池モジュール固定具２によって固定する際に、上記立上傾斜部２１Ｃ上に上記太陽電池モジュール１の係止片１２の端を載せて摺らすと、この係止片１２が上記立上傾斜部２１Ｃにガイドされ、この係止片１２を係止片挟持部２１へと導くことが容易になる。また、上記立上傾斜部２１Ｃの先端側には上記第２荷重受け部２１Ｂと略平行となるように折り曲げられた受け部２１Ｄが形成されている。
【００２５】
上記太陽電池モジュール固定具２の設置固定部２２は、屋根１０１に配置された桟木（本願では、広小舞も桟木の一形態であるとする）１０２の上面に接して設けられ、螺子釘１０３によって桟木１０２に固定される。上記の設置固定部２２には上記の螺子釘１０３が挿通される貫通穴２５が形成されている。更に、上記の設置固定部２２には、上記桟木１０２に接して当該太陽電池モジュール固定具２の位置決めを行う位置決め部位２４が設けられている。この位置決め部位２４は、設置固定部２２の一部分が剪断されるとともに当該設置固定部２２に一部が繋がって折り曲げられて成るものである。このような位置決め部位２４を有することにより、上記桟木１０２を基準にして太陽電池モジュール固定具２を手際よく正しい位置に配置していくことができる。
【００２６】
なお、屋根１０１の軒側に鼻隠し１０４が配置されており、この鼻隠し１０４に雨樋１０５が釘１０６によって固定されている。雨樋１０５は上記の軒先第１段目に配置された太陽電池モジュール１の水下側の下方に位置することになる。
【００２７】
ここで、太陽電池モジュール１上に雪が積もったときの積雪荷重は太陽電池モジュール１を下方へと押さえる力となる。この実施形態では、上記積雪荷重が軽いうちは、上記の受け部２１Ｄが太陽電池モジュール１の枠１１に当たるので、この受け部２１Ｄが太陽電池モジュール１の荷重を受けることになるが、積雪荷重が重くなり、上記立上傾斜部２１Ｃが傾いていくと、太陽電池モジュール１の枠１１に形成されている係止片１２の下面を第１荷重受け部２１Ａが受け止めるので、積雪荷重は太陽電池モジュール１の係止片１２から枠１１へ伝達される。また、軒先に風が吹いたときの風荷重は太陽電池モジュール１を上方へと持ち上げる力となるが、上記係止片１２の上面を第２荷重受け部２１Ｂが受け止めてくれるので、風荷重は太陽電池モジュール１の係止片１２から上記枠１１へ伝達されることになる。このように、太陽電池モジュール固定具２は、第１荷重受け部２１Ａ及び第２荷重受け部２１Ｂを有したことにより、積雪荷重及び風荷重の両方を太陽電池モジュール１の係止片１２から枠１１に伝達できることになり、太陽電池パネル部１４に過度な力が加わるのを防止することができる。
【００２８】
また、上記太陽電池モジュール１を用いた屋根構造は、上述した太陽電池モジュール固定具２を屋根１０１に固定し、上記太陽電池モジュール１を上記太陽電池モジュール固定具２にて固定する屋根構造であり、上記太陽電池モジュール１を軒先の第１段目に配置し、この太陽電池モジュール１における上記係止片１２を上記太陽電池モジュール固定具２における係止片挟持部２１に差し込んで成るものである。そして、この屋根構造であれば、太陽電池モジュール１を軒先の第１段目に配置しても、軒先に吹く風による風荷重は太陽電池モジュール固定具２の第２荷重受け部２１Ｂによって太陽電池モジュールの係止片１２から枠１１に伝達され、積雪荷重は第１荷重受け部２１Ａによって太陽電池モジュール１の係止片１２から枠１１に伝達されるので、太陽電池パネル部１４に局所的に過度な力が加わるのが防止される。
【００２９】
図４は他の実施形態の太陽電池モジュール固定具３を用いた屋根構造を示した断面図である。この太陽電池モジュール固定具３は、係止片挟持部３１と、この係止片挟持部３１を屋根１０１に固定する設置固定部３２と、を有する。そして、上記の係止片挟持部３１は、太陽電池モジュール１の係止片１２の下面を受け止める第１荷重受け部３１Ａと、上記係止片１２の上面を受け止める第２荷重受け部３１Ｂと、を有する。上記第１荷重受け部３１Ａと上記第２荷重受け部３１Ｂとは交互配置されている。上記第２荷重受け部３１Ｂの先端側は上記第１荷重受け部３１Ａの先端よりも手前の位置で立ち上げられ水上側へ傾斜させられた立上傾斜部３１Ｃをなしている。また、上記立上傾斜部３１Ｃの先端側には上記第２荷重受け部３１Ｂと略平行となるように折り曲げられた受け部３１Ｄが形成されている。また、上記第１荷重受け部３１Ａと上記第２荷重受け部３１Ｂとの境界線上に補強リブ３３を形成してある。このように、本太陽電池モジュール固定具３の係止片挟持部３１については、太陽電池モジュール固定具２の係止片挟持部２１と同様の構造を有している。
【００３０】
一方、太陽電池モジュール固定具３の設置固定部３２は、屋根１０１上に位置する第１部位３２Ａと上記屋根１０１上に位置する横桟３０を跨ぐ第２部位３２Ｂとを有する。そして、上記第１部位３２Ａの裏面には当該裏面と屋根１０１の面との間に隙間を形成する逆円錐台形状の凸部３４が形成されている。この凸部３４は、設置固定部３２に対するプレス加工により形成することが可能であり、このプレス加工による場合には上記第１部位３２Ａの表面の側には上記逆円錐台形状とは逆形状であるすり鉢状の凹部が形成されることになる。このような凸部３４を有する構成であれば、屋根１０１上を伝う雨滴は上記の太陽電池モジュール固定具３の設置固定部３２に遮られることなく、上記第１部位３２Ａの下を通って軒先へと伝っていくことができる。なお、上記凸部３４の中央箇所及び第２部位３２Ｂの所定箇所には、螺子釘１０３を挿通させる貫通穴が形成されている。
【００３１】
上記横桟３０は、例えば上記の太陽電池モジュール固定具３を構成する素材（例えば、スチール）と同じ素材から成り、この素材の平板を折り曲げて３面を形成することで断面が略コ字形状となるようにしたものである。この横桟３０はその開口側となる縁部分を下側にして屋根１０１に配置されている。そして、上記縁部分には上記雨滴が通過していけるように図示しないスリットが形成されている。
【００３２】
上記の横桟３０は上記第２部位３２Ｂに固着されていてもよい。このような構成であれば、太陽電池モジュール固定具３の屋根１０１上への設置作業が迅速に行えることになる。なお、上記固着はリベットや溶接などを用いて行うことができる。また、横桟３０にも上記の第２部位３２Ｂに形成される釘用の貫通穴に対応した貫通穴が形成されている。
【００３３】
また、図４に示した屋根構造においては、太陽電池モジュール１における太陽電池パネル部１４の下面と太陽電池モジュール固定具３との間に止水部材１０７を設けており、第１荷重受け部３１Ａと第２荷重受け部３１Ｂとの根元部分に生じる隙間からの雨水侵入を防止している。この止水部材１０７は柔軟性を有するゴム材などからなる。この止水部材１０７は太陽電池モジュール固定具３を用いる場合に限らず、他の形態の太陽電池モジュール固定具を用いる場合にも設けることができる。
【００３４】
図５は他の実施形態の太陽電池モジュール固定具４を用いた屋根構造を示した断面図である。この太陽電池モジュール固定具４は、係止片挟持部４１と、この係止片挟持部４１を屋根１０１に固定する設置固定部４２と、を有する。そして、上記の係止片挟持部４１は、太陽電池モジュール１の係止片１２の下面を受け止める第１荷重受け部４１Ａと、上記係止片１２の上面を受け止める第２荷重受け部４１Ｂと、を有する。上記第１荷重受け部４１Ａと上記第２荷重受け部４１Ｂとは交互配置されている。また、上記第１荷重受け部４１Ａと上記第２荷重受け部４１Ｂとの境界線上に補強リブ４３を有する。
【００３５】
上記の太陽電池モジュール固定具４の設置固定部４２は、屋根１０１に配置された桟木（広小舞）１０２′の上面に接するように設けられ、螺子釘１０３によって桟木１０２′に固定される。上記の設置固定部４２には上記の螺子釘１０３が挿通される図示しない貫通穴が形成されている。更に、上記の設置固定部４２には、上記桟木１０２′に接して当該太陽電池モジュール固定具４の位置決めを行う位置決め部位４４が形成されている。この位置決め部位４４は、設置固定部２２の所定箇所を折り曲げて形成した段部である。このような位置決め部位４４を有することにより、上記桟木１０２′を基準にして太陽電池モジュール固定具２を手際よく正しい位置に配置していくことができる。なお、上記桟木１０２′は、凹部（空洞部）を有することで桟木１０２よりも軽量化されている。
【００３６】
図６は他の実施形態の太陽電池モジュール固定具５を用いた屋根構造を示した断面図である。この太陽電池モジュール固定具５は、アルミニウム材からなり、係止片挟持部５１と、この係止片挟持部５１を屋根１０１に固定する設置固定部５２と、を有する。そして、上記の係止片挟持部５１は、太陽電池モジュール１の係止片１２の下面を受け止める第１荷重受け部５１Ａと、上記係止片１２の上面を受け止める第２荷重受け部５１Ｂと、を有する。上記第１荷重受け部５１Ａと上記第２荷重受け部５１Ｂとは対面配置されている。このような対面配置の構造は例えば押出成形によって形成できる。
【００３７】
上記の太陽電池モジュール固定具５の設置固定部５２は、桟木（広小舞）に相当する傾斜形状を有しており、螺子釘１０３によって屋根１０１に固定される。また、上記の設置固定部５２には上記の螺子釘１０３が挿通される図示しない貫通穴が形成されている。
【００３８】
上記の太陽電池モジュール固定具５であれば、桟木（広小舞）に相当する傾斜形状を成す設置固定部５２を有するので、屋根１０１上に桟木を配置することなく手早く太陽電池モジュール固定具５を屋根１０１上に設置していくことが可能になる。
【符号の説明】
【００３９】
１      太陽電池モジュール
１１    枠部
１２    係止片
１４    太陽電池パネル部
２      太陽電池モジュール固定具
２１    係止片挟持部
２１Ａ  第１荷重受け部
２１Ｂ  第２荷重受け部
２１Ｃ  立上傾斜部
２１Ｄ  受け部
２２    設置固定部
２３    補強リブ
２４    位置決め部位
３      太陽電池モジュール固定具
３１    係止片挟持部
３１Ａ  第１荷重受け部
３１Ｂ  第２荷重受け部
３１Ｃ  立上傾斜部
３１Ｄ  受け部
３２    設置固定部
３２Ａ  第１部位
３２Ｂ  第２部位
３３    補強リブ
４      太陽電池モジュール固定具
４１    係止片挟持部
４１Ａ  第１荷重受け部
４１Ｂ  第２荷重受け部
４２    設置固定部
４３    補強リブ
４４    位置決め部位
５      太陽電池モジュール固定具
５１    係止片挟持部
５１Ａ  第１荷重受け部
５１Ｂ  第２荷重受け部
５２    設置固定部
【図１】
0005490621.tif 000002
【図２】
0005490621.tif 000003
【図３】
0005490621.tif 000004
【図４】
0005490621.tif 000005
【図５】
0005490621.tif 000006
【図６】
0005490621.tif 000007